(57)【要約】【課題】印刷機のメンテナンス作業等の際、作業を簡略化し、作業時間の短縮を図ることのできる印刷機の角度表示装置の提供。【解決手段】印刷機は表示器７を有する。表示器７はメンテナンス作業等を行う反操作側Ｂ側に向けて設置することができる。表示器７にはデジタル表示部７ａが設けられており、原点位置からの胴の回転角度がデジタル表示されている。メンテナンス作業等において、作業者は反操作側Ｂから表示器７を見ながらメンテナンス作業を行う事ができる。【選択図】図４
2009119638.tif 000002
【特許請求の範囲】
【請求項１】
給紙部と、インキ部及び各種胴を有する本体と、排紙部と、各種状態を表示する表示器とを有する印刷機において、前記表示器は前記胴の原点位置からの回転角度を表示可能に構成され、前記印刷機のメンテナンス時に前記表示器が前記メンテナンスを行う作業者から視認可能な位置に設置可能であることを特徴とする印刷機。
【請求項２】
前記表示器は前記本体に設置されていることを特徴とする請求項１記載の印刷機。
【請求項３】
前記本体には基準ボタンが設けられており、前記表示器は前記基準ボタンが押下された時からの前記胴の回転角度を表示可能に構成されていることを特徴とする請求項１又は２記載の印刷機。
【発明の詳細な説明】
【技術分野】
【０００１】
本発明は、印刷機のメンテナンス作業等の際に使用される、角度表示装置に関するものである。
【背景技術】
【０００２】
印刷機においては、メンテナンス作業や工場における完成品の検査において、各種機構が予め設定された機械の回転角度に正しく対応して動作しているかどうかを確認する必要がある。ここでいう機械の回転角度とは、胴の回転角度のことである。これら胴の回転に追従して角度を示す、タイミングプレートと呼ばれる角度が表示された円盤状のアナログ表示盤を見ることにより機械の回転角度が確認できる。タイミングプレートのすぐ横には角度を示す指針が機械に固定されている。そして、胴の原点位置を０度として、胴が回転するに応じて円盤状の表示盤が回転し、指針が指す表示盤の目盛を見ることにより、胴の回転角度が把握できるように構成されている。尚、後述する操作側とは図１における図面手前側であり、反操作側とは図１における図面奥側のことである。
【発明の開示】
【発明が解決しようとする課題】
【０００３】
メンテナンス作業においては、主に反操作側で作業を行う事が多いが、タイミングプレートが反操作側ステップの下部又は操作側に設けられている場合、作業が煩雑となる問題がある。例えば、反操作側で駆動部品を外し、ステップ下部にしゃがみこむ、あるいは操作側に回りこんでタイミングプレートを見ながらインチング(寸動。胴の作動操作を短時間に小刻みに繰り返し、胴の微小回転を行う操作のこと)操作し、所定の角度まで回転したところで、また反操作側の作業位置に移動して駆動部品を固定するといった作業をせねばならず、時間、手間のかかるものであった。尚、特許文献１には版胴の回転角度をデジタル表示する技術の開示がある。
【特許文献１】特開昭５８−６９０５６号公報
【０００４】
本発明が前述の状況に鑑み解決しようとするところは、印刷機のメンテナンス作業等において、作業を簡略化、時間短縮することのできる印刷機の角度表示装置を提供することである。
【課題を解決するための手段】
【０００５】
前記課題を解決するために、本発明は、給紙部２と、インキ部及び各種胴を有する本体１と、排紙部５と、各種状態を表示する表示器７とを有する印刷機において、前記表示器７、７０は前記胴の原点位置からの回転角度を表示可能に構成され、前記印刷機のメンテナンス時に前記表示器７、７０が前記メンテナンスを行う作業者から視認可能な位置に設置可能であることを特徴としている。
【０００６】
また、本発明は、前記表示器７０は前記本体１に設置されていることを特徴としている。
【０００７】
また、本発明は、前記本体１には基準ボタンが設けられており、前記表示器７、７０は前記基準ボタンが押下された時からの前記胴の回転角度を表示可能に構成されていることを特徴としている。
【発明の効果】
【０００８】
本発明の請求項１記載の印刷機によれば、表示器は胴の原点位置からの回転角度を表示可能に構成され、印刷機のメンテナンス時に表示器がメンテナンスを行う作業者から視認可能な位置に設置可能であるので、作業者はメンテナンス等の作業において作業をする位置から動く必要がなく、作業が簡略化され、作業時間の短縮を図ることができる。
【０００９】
本発明の請求項２記載の印刷機によれば、表示器は本体に設置されているので、作業者はメンテナンス等の作業において作業をする位置から動く必要がなく、作業が簡略化され、作業時間の短縮を図ることができる上、より視認性を良くすることができる。
【００１０】
本発明の請求項３記載の印刷機によれば、本体には基準ボタンが設けられており、表示器は基準ボタンが押下された時からの胴の回転角度を表示可能に構成されているので、作業者は、原点位置からの角度に加えて基準ボタンが押下された時からの角度も視認可能であり、より作業効率がよくなる。
【発明を実施するための最良の形態】
【００１１】
本発明の実施形態による印刷機について図１〜４に基づき説明する。図１の概略全体図に示す通り、本実施例に係る印刷機は枚葉オフセット印刷機であり、本体１、給紙部２、排紙部５、作業台６を有している。作業者は印刷された枚葉紙を作業台６に載せて品質確認を行う事ができる。作業台６上には表示器７が設置される。表示器７には印刷速度等、各種情報が表示されており、また、表示器７の画面操作により各種機械操作を行う事ができる。尚、符号８は本体１に連続して設けられているステップであり、作業者はステップ８上に乗って各種作業を行う。また、図２中符号Ａを操作側(図１の図面手前側)といい、符号Ｂを反操作側(図１の図面奥側)という。通常の印刷作業において、作業者は操作側Ａに位置して給紙部２への給紙や表示器７による各種操作、作業台６での品質確認作業等を行う。一方、機械のメンテナンス作業等においては、反操作側Ｂに回り込んで本体１のカバー等を外してメンテナンス作業等を行う。
【００１２】
本体１には図示しないが一般の枚葉オフセット印刷機が備える各種胴及びインキ部等が内蔵されている。インキ部の要部を図３に示す。インキつぼ９内にはインキが貯留され、インキツボキー１０のインキ元ローラ１１に対する開閉動作により供給されるインキ量が制御される。符号１２はダクタローラであり、インキ元ローラ１１とインキローラ１４間を揺動装置１３により矢印Ｚ１、Ｚ２方向に揺動可能に構成されている。このインキ部は本体１内に複数設けられている。
【００１３】
本発明の実施形態に係る角度表示装置を構成する表示器７の表示部を図４に示す。表示部には印刷速度等の各種情報が表示され、また、各種ボタンが設置されており、このボタンをタッチすることにより各種操作を行う事ができるのは前述の通りであるが、これに加え、デジタル表示部７ａが設けられている。このデジタル表示部７ａは前記本体１の胴に設けられたエンコーダから送られる信号により、予め設定されている原点位置からの前記胴の回転角度を示している。本実施形態においては、版胴が倍胴(紙２枚分で１回転する機構)のため、便宜上、胴１周で７２０度となるように表示される。デジタル表示部７ａの括弧内の数字は基準タイミングとの差を示す。本体１に設けられた図示しない基準ボタンを押すと、この括弧内の表示が（００００）と表示され、この基準ボタンを押した時からの回転角度の差が表示されるようになっている。表示器７の表示部は図１、２に示すように反操作側に向けられているが、表示器７はその他任意の向きに変えることができ、また、作業台６ごと表示器７を任意の位置に移動可能である。
【００１４】
次に本発明の実施形態に係る印刷機の角度表示装置を使用したメンテナンス作業の一例として、ダクタローラ１２のメンテナンス作業について説明する。本実施形態においては、版胴が１周（７２０度)する間に、ダクタローラ１２はインキ元ローラ１１とインキローラ１４間を２往復するよう構成されている。すなわち、ダクタローラ１２がインキ元ローラ１１にタッチした後、３６０度回転後に再びダクタローラ１２がインキ元ローラ１１にタッチすることとなるが、このタッチが正確な角度で行われているかどうかを確認する必要がある。作業者は反操作側Ｂのステップ８上に昇り、図２中位置Ｃ付近に立って本体１のカバーを開く。そして機械をインチングしてダクタローラ１２がインキ元ローラ１１にタッチした状態にする。その状態での角度を本体１越しに表示器７のデジタル表示部７ａを見ることにより確認する。その後インチング作業を続け、３６０度回転後に再びダクタローラ１２がインキ元ローラ１１にタッチしているかどうかを確認し、必要に応じてダクタローラ１２の駆動部品を調整する。以下、他のインキ部も同様にこの作業を行う。この作業において、作業者は図２中反操作側Ｂの位置Ｃ付近から動く必要がなく、作業が簡略化され、作業時間の短縮を図ることができる。
【００１５】
図５に本発明の第二実施形態に係る角度表示装置を備えた枚葉オフセット印刷機の斜視図を示す。本実施形態においては表示器７０が本体１の反操作側に設けられている。前記第一実施形態同様、表示器７０にはデジタル表示部７ａが設けられている。よって前記同様、作業者はメンテナンス等の作業において反操作側の立ち位置から動く必要がなく、作業が簡略化され、作業時間の短縮を図ることができる。更に本実施形態においては表示器７０が反操作側の作業者の立ち位置近くに設けられているので、より視認性が良くなる。
【００１６】
本発明に係る印刷機の角度表示装置の機構は、上述した実施の形態に限定されず、特許請求の範囲で記載した範囲で種々の変形や改良が可能である。上述の実施の形態ではメンテナンス作業は反操作側で行われていたが、操作側でメンテナンス作業を行う場合、表示器７を任意の位置、すなわちメンテナンス作業における作業者の視認可能な位置に動かせばよい。また、本実施の形態においては枚葉オフセット印刷機であったが、これに限定されず、輪転紙オフセット印刷機やフレキソ印刷機のような回転する胴を有する印刷機であればよい。
【産業上の利用可能性】
【００１７】
本発明に係る、印刷機の角度表示装置は、印刷機のメンテナンス作業等において極めて有用である。
【図面の簡単な説明】
【００１８】
【図１】本発明に係る角度表示装置を備えた枚葉オフセット印刷機の側面図
【図２】本発明に係る角度表示装置を備えた枚葉オフセット印刷機の平面図
【図３】本発明に係るインキ部の要部を示す概略側面断面図
【図４】本発明に係る角度表示装置を構成する表示部を示す図面
【図５】本発明の第二実施形態に係る角度表示装置を備えた枚葉オフセット印刷機の斜視図
【符号の説明】
【００１９】
１              本体
７              表示器
７ａ              デジタル表示部
１１              インキ元ローラ
１２              ダクタローラ
１４              インキローラ
７０              表示器
Ａ              操作側
Ｂ              反操作側
【図１】
2009119638.tif 000003
【図２】
2009119638.tif 000004
【図３】
2009119638.tif 000005
【図４】
2009119638.tif 000006
【図５】
2009119638.tif 000007